(57)【要約】【課題】  信頼性の高い電流遮断機構を有する密閉型電池を提供すること。【解決手段】  本発明の密閉型電池は，端子部に，電流遮断機構を有する。電池ケースは，貫通孔が形成されている。電流遮断機構は，電池ケースの内面における貫通孔の周縁箇所に設けられている。端子部は，外部端子部，絶縁部材，接続部を有している。外部端子部は，電池ケースの外面における貫通孔の周縁箇所に設けられている。絶縁部材は，電池ケースと電流遮断機構との間に挟み込まれている。接続部は，電池ケースの貫通孔を通って外部端子部から電流遮断機構までを接続している。そして，電池ケースおよび絶縁部材の一方には，他方に向けて突出する凸部が，他方には，一方の凸部が嵌め込まれている凹部が形成されている。凸部および凹部は，これらが貫通孔の軸周りに相対的に回転移動したときの回転力を，互いに接触して受ける側壁面を有する。【選択図】図３
2017143032.tif 000002
【特許請求の範囲】
【請求項１】
電池ケースと，
正負の電極板により構成されているとともに，前記電池ケースの内部に収容されている電極体と，
一端側が前記電池ケースの内部で前記電極体に接続されており，他端側が前記電池ケースの外部に露出している端子部とを有し，
前記端子部が，
前記電池ケースの内部に位置する箇所に設けられ，前記電池ケースの内圧が通常範囲内であるときには，前記一端側から前記他端側までの導電経路が形成される導通状態をとり，前記電池ケースの内圧が前記通常範囲の上限値よりも高くなったときには，前記導電経路に設けられた脆弱部が切断されて，その切断位置での導通を遮断する遮断状態をとる電流遮断機構を有するものである密閉型電池において，
前記電池ケースは，貫通孔が形成されているものであり，
前記電流遮断機構は，前記電池ケースの内面における前記貫通孔の周縁箇所に設けられており，
前記端子部は，
前記電池ケースの外面における前記貫通孔の周縁箇所に設けられている導電性の外部端子部と，
前記電池ケースと前記電流遮断機構との間に挟み込まれている絶縁部材と，
前記外部端子部から前記貫通孔を通って前記電流遮断機構までを接続している導電性の接続部とを有するものであり，
前記電池ケースおよび前記絶縁部材の一方は，他方に向けて突出する凸部が形成されており，前記他方は，前記一方の凸部が嵌め込まれている凹部が形成されており，
前記一方の凸部および前記他方の凹部は，これらが前記貫通孔の軸周りに相対的に回転移動したときの回転力を，互いに接触して受ける側壁面を有するものであることを特徴とする密閉型電池。
【発明の詳細な説明】
【技術分野】
【０００１】
本発明は，密閉型電池に関する。より詳細には，電流遮断機構（ＣＩＤ：Ｃｕｒｒｅｎｔ  Ｉｎｔｅｒｒｕｐｔ  Ｄｅｖｉｃｅ）を備える密閉型電池に関するものである。
【背景技術】
【０００２】
従来より，密閉型の二次電池では，何らかの異常によって電池の内圧が通常範囲を超えて上昇してしまうことがある。そこで，通常範囲よりも高い内圧で作動するＣＩＤを備えた二次電池がある。このようなＣＩＤを備えた二次電池の先行技術文献として，例えば，特許文献１が挙げられる。
【０００３】
特許文献１には，電池ケースの外部に露出している外部端子と電池ケース内部に収容されている電極体との間の導電経路に，ＣＩＤを有する二次電池について記載されている。特許文献１に記載されているＣＩＤは，反転板を有するものである。具体的には，ＣＩＤは，電池ケースの内部に，凹部が形成されている部材と反転板とを有し，反転板により凹部の開口を塞いだ状態でこれらを接合した構成のものである。そして，反転板が凹部の開口を塞いでいることにより，凹部の内部空間は，電池ケースの内部空間から区画されている。
【０００４】
また，反転板は，凹部の内部空間から電池ケースの内部空間に向けて突出する突出部を有している。反転板の突出部は，内部端子に接触した状態で，内部端子と接合されている。さらに，内部端子は，電極体に接続されている。さらに，凹部が形成されている部材と外部端子との間には，電池ケースを貫通しつつ，これらを接続している接続部が存在している。これにより，電池ケースの内部空間の圧力が通常範囲内である通常時には，外部端子から電極体までの導電経路が形成されている。
【０００５】
そして，電池ケースの内部空間の圧力が通常範囲を超えて上昇した内圧異常時には，電池ケースの内部空間と凹部の内部空間との差圧により，反転板の突出部の部分が，凹部の内部空間側へと引っ込むように変形する反転が生じるようにされている。この反転板の反転に伴って内部端子の破断部が破断することにより，ＣＩＤが作動する。これにより，内部端子の破断位置での導電経路が切断され，それ以上，電池が充放電されることがないようになされている。
【０００６】
さらに，特許文献１では，反転板と内部端子との位置ズレを抑制するため，これらの間に絶縁部材が挟み込まれている。なお，絶縁部材には貫通孔が形成されており，反転板の突出部と内部端子とは，その貫通孔の内部で接続されている。また，絶縁部材は，固定爪を，反転板の外側より，凹部が形成されている部材に引っかけることで，固定されている。これにより，電池の落下時における衝撃等が，内部端子の破断部に伝達することを抑制できるとしている。よって，特許文献１では，電池の落下時の衝撃等によって内部端子の破断部が損傷し，ＣＩＤが機能しなくなってしまうような事態を抑制できるとしている。
【先行技術文献】
【特許文献】
【０００７】
【特許文献１】特開２０１３−１７５４２８号公報
【発明の概要】
【発明が解決しようとする課題】
【０００８】
ところで，上記の従来技術によっても，ＣＩＤが損傷してしまうことがあった。すなわち，外部端子は，例えば，電池が側面から衝撃等を受けた場合に，電池ケースに対し，回転してしまうことがある。具体的に，外部端子は，電池ケースを貫通している接続部材を回転の中心軸として回転移動することがある。外部端子が回転した場合，接続部材を介して外部端子に接続されている部材についても，電池ケースに対して回転する。つまり，反転板についても，外部端子とともに回転することとなる。
【０００９】
一方，内部端子は，電極体に接続により固定されている。よって，外部端子が回転したときには，互いに接合されている反転板と内部端子との間に，外部端子の回転に伴うねじりの応力がかかることとなる。これにより，内部端子の破断部が損傷し，ＣＩＤが機能しなくなってしまうおそれがあった。
【００１０】
本発明は，前記した従来の技術が有する問題点の解決を目的としてなされたものである。すなわちその課題とするところは，信頼性の高い電流遮断機構を有する密閉型電池を提供することである。
【課題を解決するための手段】
【００１１】
この課題の解決を目的としてなされた本発明の密閉型電池は，電池ケースと，正負の電極板により構成されているとともに，電池ケースの内部に収容されている電極体と，一端側が電池ケースの内部で電極体に接続されており，他端側が電池ケースの外部に露出している端子部とを有し，端子部が，電池ケースの内部に位置する箇所に設けられ，電池ケースの内圧が通常範囲内であるときには，一端側から他端側までの導電経路が形成される導通状態をとり，電池ケースの内圧が通常範囲の上限値よりも高くなったときには，導電経路に設けられた脆弱部が切断されて，その切断位置での導通を遮断する遮断状態をとる電流遮断機構を有するものである密閉型電池であって，電池ケースは，貫通孔が形成されているものであり，電流遮断機構は，電池ケースの内面における貫通孔の周縁箇所に設けられており，端子部は，電池ケースの外面における貫通孔の周縁箇所に設けられている導電性の外部端子部と，電池ケースと電流遮断機構との間に挟み込まれている絶縁部材と，外部端子部から貫通孔を通って電流遮断機構までを接続している導電性の接続部とを有するものであり，電池ケースおよび絶縁部材の一方は，他方に向けて突出する凸部が形成されており，他方は，一方の凸部が嵌め込まれている凹部が形成されており，一方の凸部および他方の凹部は，これらが貫通孔の軸周りに相対的に回転移動したときの回転力を，互いに接触して受ける側壁面を有するものであることを特徴とする密閉型電池である。
【００１２】
本発明に係る密閉型電池では，電池ケースおよび絶縁部材の一方に形成された凸部と，他方に形成された凹部とにより，絶縁部材が電池ケースに対して回転してしまうことが抑制されている。また，絶縁部材を電池ケースとの間で挟み込んでいるＣＩＤについても，絶縁部材の回転が抑制されていることにより，電池ケースに対して回転してしまうことが抑制されている。このため，ＣＩＤの脆弱部に，ねじりによる応力がかかることがなく，ＣＩＤの構成部材の損傷が抑制されている。よって，本発明に係る密閉型電池の電流遮断機構は，信頼性の高いものである。
【発明の効果】
【００１３】
本発明によれば，信頼性の高い電流遮断機構を有する密閉型電池が提供されている。
【図面の簡単な説明】
【００１４】
【図１】実施形態に係る電池の断面図である。
【図２】実施形態に係る電池の平面図である。
【図３】正極端子部の断面図である。
【図４】凸部および凹部の断面形状を説明するための図である。
【発明を実施するための形態】
【００１５】
以下，本発明を具体化した最良の形態について，図面を参照しつつ詳細に説明する。
【００１６】
図１は，本形態の電池１の概略構成を示した断面図である。また，図２には，電池１の平面図を示している。
【００１７】
本形態の電池１は，図１に示すように，電池ケース１０の内部に電極体２０および電解液３０を収容してなるものである。本形態の電解液３０は，非水溶媒にリチウム塩を溶解してなる非水電解液である。つまり，本形態の電池１は，リチウムイオン二次電池である。
【００１８】
電池ケース１０は，金属製のものであり，図１および図２に示すように扁平の矩形状をしている。電池ケース１０は，図２に示すように，ケース本体１１と，ケース本体１１の上部の開口を塞いでいる蓋材１２とを有している。
【００１９】
電極体２０は，正負の電極板により構成されたものである。本形態の電極体２０は，集電箔に活物質層を形成してなる正極板および負極板を，これらの間にセパレーターを挟み込みつつ扁平形状に捲回してなるものである。電極体２０は，図２に示すように，中央に位置する中央部２１と，中央部２１の両端にそれぞれ位置する負極端部２２および正極端部２３とを有している。
【００２０】
電極体２０の中央部２１は，正極板および負極板のうちの，集電箔上に活物質層が形成されてなる部分が積層されている部分である。なお，電極体２０の中央部２１においては，正極板および負極板の間に，セパレーターが挟み込まれている。また，負極端部２２は，負極板のうちの，活物質層が形成されていない集電箔のみからなる部分である。正極端部２３は，正極板のうちの，活物質層が形成されていない集電箔のみからなる部分である。
【００２１】
また，電池１は，負極端子部４０および正極端子部５０を有している。負極端子部４０は，負極内部端子４１，負極外部端子４２，負極端子接続部材４５を有している。負極内部端子４１は，電池ケース１０の内部に配置され，電極体２０の負極端部２２に接合により接続されている。負極外部端子４２は，電池ケース１０の外部に設けられている。また，負極外部端子４２は，柱状部４３と，電池ケース１０の外面に沿って設けられている板状部４４とを有している。負極端子接続部材４５は，電池ケース１０の内部から外部までを貫通しており，その内部側が負極内部端子４１に，外部側が負極外部端子４２の板状部４４に接続されている。
【００２２】
また，負極内部端子４１，負極外部端子４２，負極端子接続部材４５はいずれも，金属製であり，導電性を有するものである。このため，本形態の負極端子部４０は，常に，負極端子として機能できるものである。
【００２３】
正極端子部５０は，正極内部端子６０，正極外部端子７０，反転部１００を有している。正極内部端子６０は，電池ケース１０の内部に配置され，電極体２０の正極端部２３に接合により接続されている。正極外部端子７０は，電池ケース１０の外部に設けられている。また，正極外部端子７０は，柱状部７１と，電池ケース１０の外面に沿って設けられている板状部７２とを有している。反転部１００は，電池ケース１０の内部に配置されている。
【００２４】
正極内部端子６０および正極外部端子７０についても，ともに金属製であり，導電性を有するものである。そして，正極内部端子６０と正極外部端子７０とは，反転部１００を介して接続されている。本形態においては，正極内部端子６０と反転部１００とにより，電流遮断機構（ＣＩＤ：Ｃｕｒｒｅｎｔ  Ｉｎｔｅｒｒｕｐｔ  Ｄｅｖｉｃｅ）が構成されている。
【００２５】
ＣＩＤは，電池ケース１０の内部の空間であるケース空間Ｓの圧力が通常範囲内であるとき，電極体２０と正極外部端子７０との間に導電経路が形成された導通状態をとる。つまり，本形態の電池１では，ケース空間Ｓの圧力が通常範囲内であるとき，電極体２０と正極外部端子７０とは，正極内部端子６０および反転部１００を介して導通される。これにより，ケース空間Ｓの圧力が通常範囲内であるとき，正極端子部５０は，正極端子として機能できる。
【００２６】
一方，ＣＩＤは，電池１に異常が生じ，電池ケース１０のケース空間Ｓの圧力がＣＩＤの作動圧以上まで上昇した場合に作動する。ＣＩＤの作動圧は，ケース空間Ｓの圧力の通常範囲の上限値よりも高い圧力である。このようなケース空間Ｓの圧力が上昇してしまう内圧異常は，電池１内部の電解液３０が加熱される等によって分解され，ガスが発生することにより生じることがある。そして，ＣＩＤは，内圧異常時に，その位置での導電経路を切断して導通を遮断する遮断状態をとる。これにより，本形態の電池１は，ケース空間Ｓの圧力がＣＩＤの作動圧以上まで上昇したとき，正極端子部５０が機能できないように構成されている。次に，正極端子部５０について詳細に説明する。
【００２７】
図３に，正極端子部５０の断面図を示す。図３は，正極端子部５０の，図２におけるＡ−Ａ断面図である。図３において，蓋材１２よりも上側が電池１の外部であり，蓋材１２よりも下側が電池１の内部である。つまり，ケース空間Ｓは，蓋材１２よりも下側に位置している。また，図３は，ケース空間Ｓの圧力が通常範囲内である通常時を示すものである。このため，図３において，ＣＩＤは，作動しておらず，導通状態をとっている。
【００２８】
図３に示すように，反転部１００は，反転板１１０とホルダ１２０とにより構成されている。反転板１１０およびホルダ１２０はともに，金属製であり，導電性を有するものである。反転部１００とともにＣＩＤ１３０を構成する正極内部端子６０は，反転部１００から見て，蓋材１２とは反対側に位置している。
【００２９】
また，蓋材１２には，正極端子部５０の位置に，電池１の内側に位置する内面１３から，外側に位置する外面１４まで貫通する貫通孔１５が形成されている。さらに，正極端子部５０は，正極外部端子７０等と蓋材１２とを絶縁するため，第１絶縁部材１５０と第２絶縁部材１６０とを有している。
【００３０】
第１絶縁部材１５０は，図３に示すように，正極外部端子７０の板状部７２と蓋材１２との間に挟み込まれている。つまり，第１絶縁部材１５０は，蓋材１２の外面１４上に設けられている。第１絶縁部材１５０は，弾性と絶縁性とを有する樹脂材またはゴム等により形成されたものである。また，第１絶縁部材１５０は，蓋材１２の貫通孔１５の箇所が，貫通孔１５の内壁面に沿ってその内部に進入している。これにより，第１絶縁部材１５０は，正極外部端子７０と蓋材１２とを絶縁しているとともに，これらの間をシールしている。よって，本形態の電池１は密閉されている。
【００３１】
第２絶縁部材１６０は，蓋材１２の内面１３に，その第１面１６１が接触して設けられている。また，第２絶縁部材１６０は，絶縁性を有する樹脂材等により形成されたものである。第２絶縁部材１６０は，反転部１００のホルダ１２０と蓋材１２とに挟み込まれており，これらを絶縁している。
【００３２】
また，第２絶縁部材１６０は，蓋材１２から遠ざかる向きに延びる側面部１６２を有している。その側面部１６２の蓋材１２から遠い側の先端１６３は，側面部１６２から反転部１００の側に延びているとともに，反転部１００と正極内部端子６０との隙間に進入している。つまり第２絶縁部材１６０の先端１６３は，反転部１００に引っかかっている。これにより，第２絶縁部材１６０は，反転部１００を外側から包み込むような形状をしている。
【００３３】
反転部１００のホルダ１２０は，基面部１２１と，基面部１２１の第１面１２７に設けられた円筒部１２２とを有している。基面部１２１と円筒部１２２とはともに，第１面１２７と平行な面内における形状が円形の，外形が円柱形状のものである。また，基面部１２１は，円筒部１２２よりも直径の大きなものである。さらに，円筒部１２２には，その軸方向に貫通する貫通孔１２５が形成されている。
【００３４】
ホルダ１２０の基面部１２１は電池１の内部に位置しており，円筒部１２２は電池１の内部から蓋材１２の貫通孔１５，板状部７２の貫通孔７３を通って電池１の外部まで突き出ている。円筒部１２２は，電池１に組み付けられる前には，電池１の外部側の先端１２６まで，直径が一定の大きさのものである。そして，電池１に組み付けられた図３の状態では，円筒部１２２の先端１２６は，カシメられて元よりも直径が大きくされている。これにより，円筒部１２２は，正極外部端子７０の板状部７２と接続されている。つまり，円筒部１２２は，正極外部端子７０の板状部７２からホルダ１２０の基面部１２１までを接続している接続部である。
【００３５】
また，ホルダ１２０は，図３に示すように，基面部１２１と，カシメられた円筒部１２２の先端１２６とにより，正極外部端子７０の板状部７２，第１絶縁部材１５０，蓋材１２，第２絶縁部材１６０を挟み込んでいる。このホルダ１２０の挟み込みにより，正極外部端子７０，第１絶縁部材１５０，第２絶縁部材１６０は，蓋材１２に固定されている。
【００３６】
さらに，ホルダ１２０は，基面部１２１の第１面１２７を蓋材１２に向け，基面部１２１における第１面１２７の裏側に位置する第２面１２８を正極内部端子６０の側に向けた状態で設けられている。このため，基面部１２１の第１面１２７は，蓋材１２の内面１３における貫通孔１５の周縁箇所に向いている。
【００３７】
また，基面部１２１の第２面１２８側は，第１面１２７側よりも直径が大きくされている。これにより，基面部１２１の第２面１２８側には，フランジ１２３が形成されている。さらに，基面部１２１には，凹部１２４が形成されている。凹部１２４は，基面部１２１の第２面１２８に開口している。凹部１２４は，その深さ方向と垂直な面内における形状が，円形のものである。なお，円筒部１２２の貫通孔１２５は，基面部１２１の凹部１２４の底面に開口している。
【００３８】
反転板１１０は，ホルダ１２０の第２面１２８と平行な面内における形状が円形の，全体として円板状の部材である。また，反転板１１０は，外縁部分１１１と，外縁部分１１１に囲われた中央部分１１２とを有している。図３に示すように，外縁部分１１１は平坦であり，中央部分１１２は，外縁部分１１１よりも正極内部端子６０の側へと突出した湾曲形状をしている。
【００３９】
また，反転板１１０は，図３に示すように，ホルダ１２０の第２面１２８に，中央部分１１２の突出方向とは反対側の面を合わせて設けられている。さらに，反転板１１０の外縁部分１１１と，ホルダ１２０のフランジ１２３とは，凹部１２４の開口の径方向の外側において１周，溶接されており，その位置で接合されている。
【００４０】
これにより，反転板１１０は，ホルダ１２０の凹部１２４の開口を塞いでいる。また，反転板１１０は，ホルダ１２０の凹部１２４の内部の空間をケース空間Ｓから区画し，凹部空間Ｔを形成している。つまり，反転板１１０は，ホルダ１２０の凹部１２４とともに凹部空間Ｔを形成している。
【００４１】
反転板１１０の中央部分１１２は，ケース空間Ｓの側からある一定以上の力を受けたときには，反対側，すなわち凹部空間Ｔ側に突出するように変形する反転が生じるものである。すなわち，反転板１１０は，ケース空間Ｓの圧力が反転板１１０の作動圧以上になった内圧異常時には，そのときのケース空間Ｓと凹部空間Ｔとの差圧により，反転が生じるものである。
【００４２】
また，図３に示すように，正極内部端子６０は，反転接続部６１と，正極集電部６２とを有している。正極内部端子６０の反転接続部６１は，反転板１１０の中央部分１１２に対応する箇所に，貫通孔６４が形成されている。また，反転板１１０の中央部分１１２は，正極内部端子６０の反転接続部６１に接触するまで突出しており，反転板１１０の中央部分１１２と正極内部端子６０の反転接続部６１とは，反転接続部６１の貫通孔６４の内壁面に沿って溶接されている。これにより，正極内部端子６０は，反転板１１０に接続されている。
【００４３】
さらに，正極内部端子６０の反転接続部６１における貫通孔６４の周縁部分は，図３に示すように，その他の部分よりも厚みの薄い薄肉部６３とされている。また，薄肉部６３には，Ｖ字型をした切り込みであるノッチ６５が形成されている。ノッチ６５は，貫通孔６４を囲むように環状に形成されている。反転接続部６１のノッチ６５の形成箇所は，ノッチ６５が形成されていることにより，その他の部分よりも強度が低くされている。このため，本形態では，反転接続部６１のノッチ６５の形成箇所が脆弱部である。図３には，反転接続部６１のうちのノッチ６５に囲われている部分を，分離部分６６として示している。なお，正極集電部６２の反転接続部６１側とは反対側は，電極体２０の正極端部２３に接合により接続されている（図１）。
【００４４】
また，図３に示すように，反転板１１０の外縁部分１１１と正極内部端子６０との間には，第３絶縁部材１７０が挟み込まれている。第３絶縁部材１７０は，絶縁性を有する樹脂材等により形成されている。また，第３絶縁部材１７０には，反転板１１０の中央部分１１２の箇所に貫通孔１７１が形成されている。図３に示すように，反転板１１０の中央部分１１２と正極内部端子６０の反転接続部６１とは，第３絶縁部材１７０の貫通孔１７１の内側で接続されている。また，前述したように，反転板１１０の外縁部分１１１と正極内部端子６０との間には，第２絶縁部材１６０の先端１６３についても挟み込まれている。そして，第２絶縁部材１６０の先端１６３と第３絶縁部材１７０により，反転板１１０の外縁部分１１１が正極内部端子６０に接触しないようになされている。
【００４５】
また，正極内部端子６０の反転接続部６１から見て反転板１１０とは反対側には，第４絶縁部材１８０が設けられている。第４絶縁部材１８０には貫通孔１８１が形成されており，その貫通孔１８１の内部において，正極内部端子６０の薄肉部６３はケース空間Ｓに露出している。これにより，内圧異常時には，ケース空間Ｓと凹部空間Ｔとの差圧による力が，反転板１１０に適切にかかるようにされている。
【００４６】
また，本形態の正極端子部５０の箇所において，蓋材１２には，内面１３より突出する凸部１６が形成されている。凸部１６は，図３に示すように，蓋材１２に２つ，設けられている。図４（ａ）には，図３におけるＢ−Ｂ断面図を示している。つまり，図４（ａ）には，凸部１６の突出方向と垂直な面内における，凸部１６の断面形状を示している。
【００４７】
図４に示すように，２つの凸部１６の位置は，ホルダ１２０の円筒部１２２から見て，互いに反対側となる位置である。つまり，２つの凸部１６は，これらの間にホルダ１２０の円筒部１２２を挟み込むように配置されている。さらに，凸部１６の形状は，その突出方向に垂直な面内における断面形状が，矩形状のものである。
【００４８】
さらに，本形態の第２絶縁部材１６０には，図３に示すように，第１面１６１に開口する凹部１６４が形成されている。凹部１６４は，第２絶縁部材１６０に２つ，設けられている。第２絶縁部材１６０の凹部１６４は，蓋材１２の凸部１６に対応する箇所に形成された，凸部１６に対応する形状のものである。つまり，凹部１６４についても，その深さ方向に垂直な面内における断面形状が，矩形状のものである。なお，凹部１６４の深さ方向は，蓋材１２の凸部１６の突出方向と同じである。また，蓋材１２の２つの凸部１６は，第２絶縁部材１６０の２つの凹部１６４にそれぞれ，嵌め込まれている。
【００４９】
そして，前述したように，本形態の正極端子部５０においては，反転部１００と正極内部端子６０とにより，ＣＩＤ１３０が構成されている。すなわち，ケース空間Ｓが通常範囲内の圧力であるときには，上記のように，ＣＩＤ１３０における反転板１１０と正極内部端子６０とが接続されていることにより，電極体２０の正極端部２３と正極外部端子７０との間に導電経路が形成されている。
【００５０】
一方，ＣＩＤ１３０では，内圧異常時において，反転板１１０に反転が生じ，反転板１１０の中央部分１１２がホルダ１２０の凹部空間Ｔ側に突き出た状態となる。つまり，反転板１１０の中央部分１１２が，正極内部端子６０から遠ざかる向きに変形する。このとき，反転板１１０の中央部分１１２に接合されている正極内部端子６０の分離部分６６についても，反転が生じた反転板１１０により，ホルダ１２０の凹部空間Ｔ側へと引っ張られる。これにより，正極内部端子６０のノッチ６５の形成箇所が切断される。
【００５１】
つまり，分離部分６６が正極内部端子６０から分離し，分離した分離部分６６と正極内部端子６０との間には隙間が形成される。これにより，内圧異常時におけるＣＩＤ１３０は，導通が遮断された遮断状態となる。すなわち，内圧異常時には，ＣＩＤ１３０が作動し，電池１をそれ以上，充放電されない状態とすることができる。
【００５２】
また，本形態の正極端子部５０においては，蓋材１２の凸部１６と第２絶縁部材１６０の凹部１６４とにより，電池１が衝撃や振動を受けた場合に，その衝撃や振動によって正極内部端子６０のノッチ６５の形成箇所が切断されてしまわないようになされている。すなわち，例えば，電池１が，電池ケース１０の外形のうちの面積が最も広い側面より衝撃を受けたとき，正極外部端子７０に，ホルダ１２０の円筒部１２２を回転軸とし，電池ケース１０に対して回転しようとする回転力がかかってしまうことがある。この回転力により正極外部端子７０が回転した場合，正極外部端子７０と接続されているホルダ１２０および反転板１１０についても，電池ケース１０に対して回転することとなる。
【００５３】
一方，正極内部端子６０は，電極体２０の正極端部２３に接合により固定されている。電池ケース１０のケース空間Ｓは，電池ケース１０の厚み方向について，電極体２０に対する余裕が少ないものである。つまり，電極体２０は，電池ケース１０に対し，ホルダ１２０の円筒部１２２を回転軸として回転することはない。すなわち，正極内部端子６０は，その正極集電部６２が，電池ケース１０に対して回転できないように固定されている。
【００５４】
このため，正極外部端子７０の回転に伴うねじりの応力は，互いに接合されている反転板１１０から正極内部端子６０までの間にかかることとなる。ここで，反転板１１０と正極内部端子６０とにおいて，最も強度の低い箇所は，正極内部端子６０のノッチ６５の形成箇所である。よって，正極外部端子７０が回転してしまった場合，そのねじりの応力により，正極内部端子６０のノッチ６５の形成箇所が切断されてしまうおそれがある。つまり，正極内部端子６０のノッチ６５の形成箇所が，内圧異常以外の要因によって切断されてしまうおそれがある。そして，ノッチ６５の形成箇所が切断されてしまった場合には，それ以降，ＣＩＤ１３０が機能しなくなってしまう。導通状態をとることができなくなるからである。
【００５５】
しかし，本形態においては，電池ケース１０の蓋材１２に凸部１６が，正極端子部５０の第２絶縁部材１６０に凹部１６４がそれぞれ形成されており，凸部１６が凹部１６４に嵌め込まれている。凸部１６および凹部１６４は，蓋材１２および第２絶縁部材１６０のそれぞれに，正極外部端子７０の回転の際の回転軸となるホルダ１２０の円筒部１２２とは，円筒部１２２の軸方向と垂直な面内について，円筒部１２２と異なる位置に設けられている。これにより，正極端子部５０において，蓋材１２の凸部１６および第２絶縁部材１６０の凹部１６４は，回り止めとして機能することができる。
【００５６】
すなわち，正極外部端子７０に，蓋材１２に対して回転しようとする回転力がかかった場合，その回転力は，第２絶縁部材１６０にもかかることとなる。第２絶縁部材１６０と正極外部端子７０の板状部７２とはそれぞれ，これらを挟み込みにより蓋材１２に固定しているホルダ１２０の基面部１２１と，カシメられた円筒部１２２の先端１２６とに接触している部材である。このため，正極外部端子７０にかかった回転力が，ホルダ１２０を介して第２絶縁部材１６０に伝達されるからである。
【００５７】
そして，蓋材１２に対して回転しようとする回転力が第２絶縁部材１６０にかかったとき，蓋材１２の凸部１６の側壁面と，第２絶縁部材１６０の凹部１６４の側壁面とは，互いに接触することとなる。また，凸部１６と凹部１６４とは，第２絶縁部材１６０にかかった回転力が，円筒部１２２を回転軸とする第１の回転方向および第１の回転方向とは反対の第２の回転方向のいずれの方向のものであっても，側壁面同士が接触することとなる。すなわち，凸部１６の側壁面と凹部１６４の側壁面とは，蓋材１２の貫通孔１５の軸周りに相対的に回転移動したときに，互いに接触する。さらに，凸部１６と凹部１６４とは，その回転力を，互いの側壁面の接触により受けることができる。これにより，第２絶縁部材１６０が，電池ケース１０の蓋材１２に対して回転してしまうことが抑制されている。
【００５８】
さらに，第２絶縁部材１６０の電池ケース１０に対する回転が抑制されていることにより，ホルダ１２０の電池ケース１０に対する回転についても抑制されている。ホルダ１２０は，前述したように，第２絶縁部材１６０を，挟み込みによって蓋材１２に固定している部材だからである。すなわち，ホルダ１２０は，電池ケース１０に対する回転が抑制されている第２絶縁部材１６０との接触箇所における摩擦力により，電池ケース１０に対して回転しにくくされている。このため，ホルダ１２０に接合されている反転板１１０についても，電池ケース１０に対して回転してしまうことが抑制されている。
【００５９】
よって，正極端子部５０では，反転板１１０および正極内部端子６０がともに，電池ケース１０に対して回転してしまうことが抑制されている。よって，反転板１１０から正極内部端子６０までの間に，ねじりによる応力がかかることが防止されている。これにより，本形態の正極端子部５０では，電池１への衝撃など，内圧異常以外の要因により，正極内部端子６０のノッチ６５の形成箇所が切断されてしまうことが抑制されている。従って，本形態のＣＩＤ１３０は，電池１への衝撃などによってＣＩＤ１３０が機能しなくなることが抑制されている，信頼性の高いものである。
【００６０】
なお，蓋材１２の凸部１６および第２絶縁部材１６０の凹部１６４の断面形状は，図４（ａ）に示すものに限られるものではない。すなわち，凸部１６および凹部１６４は，これらが円筒部１２２の軸周りに相対的に回転移動したときの回転力を，互いに接触して受ける側壁面を有するものであればよい。凸部１６および凹部１６４の相対的な回転時に接触する側壁面は，円筒部１２２の軸周りにおける第１の回転方向の回転時と，第１の回転方向とは反対の第２の回転方向の回転時とで異なる側壁面であってもよい。
【００６１】
なお，例えば，凸部１６および凹部１６４として，ともに円筒部１２２の軸周りに環状に連続して形成されたものを採用することはできない。この場合，例えば，凸部１６に対して凹部１６４が回転したとき，凹部１６４の側壁面が凸部１６の側壁面に沿って移動してしまうこととなる。このため，凸部１６および凹部１６４の側壁面同士の接触によって回転力を受けることができないからである。
【００６２】
そして，凸部１６および凹部１６４の組み合わせとしては，図４（ａ）に示すものの他，具体的には，図４の（ｂ）から（ｅ）までに示すものを採用することができる。図４（ｂ）においては，２つの凸部１６のうち，左側に示す一方が図４（ａ）のものと異なり，右側に示す他方は図４（ａ）のものと同じである。このため，２つの凹部１６４についても，左側に示す一方が図４（ａ）のものと異なり，右側に示す他方は図４（ａ）のものと同じである。つまり，図４（ｂ）において，左側の凸部１６は，図４（ａ）よりも円筒部１２２から遠ざかる向きに長く，第２絶縁部材１６０の側面から突き出ている。また，左側の凹部１６４は，凸部１６に対応し，円筒部１２２から遠ざかる向きに，第２絶縁部材１６０の側面まで延びている。
【００６３】
図４（ｃ）においては，２つの凸部１６の断面形状がともに，十字形状のものである。また，２つの凹部１６４についても，凸部１６に対応し，断面形状が十字形状のものである。図４（ｄ）においては，凸部１６および凹部１６４の断面形状については，図４（ａ）のものと同じである。ただし，図４（ｄ）では，設けられている凸部１６および凹部１６４の組み合わせが１つである。図４（ｅ）においては，図４（ｂ）における第２絶縁部材１６０の側面から突出している凸部１６および第２絶縁部材１６０の側面まで延びている凹部１６４による組み合わせが１つ，設けられている。
【００６４】
そして，図４の（ｂ）から（ｅ）までに示す凸部１６および凹部１６４の組み合わせにおいてはいずれも，凸部１６および凹部１６４が円筒部１２２の軸周りに相対的に回転移動したときの回転力を，互いに接触して受ける側壁面が存在している。よって，図４の（ｂ）から（ｅ）までに示す凸部１６および凹部１６４の組み合わせにおいても，反転板１１０の，電池ケース１０に対する回転を抑制することができる。すなわち，電池１への衝撃など，内圧異常以外の要因により，正極内部端子６０のノッチ６５の形成箇所が切断されてしまうことが抑制されている。よって，図４の（ｂ）から（ｅ）までに示す凸部１６および凹部１６４の組み合わせを採用した場合にも，ＣＩＤ１３０を，信頼性の高いものとすることができる。
【００６５】
以上詳細に説明したように，本実施の形態の電池は，正極端子部にＣＩＤを有するものである。その電池の電池ケースは，貫通孔が形成されている。また，正極端子部は，正極外部端子の板状部から電池ケースの貫通孔を通って基面部までを接続している円筒部を有している。また，正極端子部は，蓋材とホルダの基面部との間に挟み込まれている第２絶縁部材を有している。さらに，蓋材には，第２絶縁部材に向けて突出する凸部が形成されている。加えて，第２絶縁部材は，蓋材の凸部が嵌め込まれた凹部が形成されている。そして，蓋材の凸部および第２絶縁部材の凹部は，これらが電池ケースの貫通孔の軸周りに相対的に回転移動したときの回転力を，互いに接触して受ける側壁面を有している。よって，電池への衝撃等，内圧異常以外の要因により，ＣＩＤの構成部材が損傷してしまうことが抑制されている。これにより，信頼性の高い電流遮断機構を有する密閉型電池が実現されている。
【００６６】
なお，本実施の形態は単なる例示にすぎず，本発明を何ら限定するものではない。従って本発明は当然に，その要旨を逸脱しない範囲内で種々の改良，変形が可能である。例えば，上記の実施形態では，リチウムイオン二次電池である電池１について説明したが，その他のＣＩＤを有する密閉型電池にも適用することができる。また，ＣＩＤは，正極側に限らず，負極側に設けられていてもよい。
【００６７】
また，電池１は，上記の構成に加えて，ケース空間Ｓの圧力が所定の開放圧以上となったときに開放し，電池ケース１０内の気体を外部に排出することのできる安全弁を有するものであってもよい。このような安全弁を設ける場合には，安全弁の開放圧を，ＣＩＤの作動圧よりも高い圧力に設定しておけばよい。
【００６８】
また例えば，ホルダ１２０の円筒部１２２の貫通孔１２５は塞がれていても良い。ホルダ１２０の円筒部１２２の貫通孔１２５を塞ぐことにより，ホルダ１２０の凹部空間Ｔを，電池１の外部と区画することができる。これにより，湿気や液体等がホルダ１２０の凹部空間Ｔ内に入り込んでしまうことを防止し，反転板１１０の腐食等を抑制することができるからである。
【００６９】
また例えば，凸部１６および凹部１６４の断面形状は，当然，図４に示す形状に限られるものでない。凸部１６および凹部１６４の断面形状としては，図４に示す形状の他，例えば，円形状や三角形状などを採用してもよい。
【００７０】
また例えば，上記の実施形態では，凸部１６が電池ケース１０の蓋材１２に形成されており，凹部１６４が第２絶縁部材１６０に形成されているものとして説明している。しかし，凸部が第２絶縁部材に形成されており，凹部が電池ケースに形成されていてもよい。
【符号の説明】
【００７１】
１  電池
１０  電池ケース
１１  ケース本体
１２  蓋材
１５  貫通孔
１６  凸部
２０  電極体
４０  負極端子部
５０  正極端子部
６０  正極内部端子
６５  ノッチ
７０  正極外部端子
１００  反転部
１１０  反転板
１２０  ホルダ
１２１  基面部
１２２  円筒部
１２４  凹部
１３０  ＣＩＤ
１６０  第２絶縁部材
１６４  凹部
Ｓ  ケース空間
Ｔ  凹部空間
【図１】
2017143032.tif 000003
【図２】
2017143032.tif 000004
【図３】
2017143032.tif 000005
【図４】
2017143032.tif 000006